(57)【要約】【課題】ヘッドフォンを差し替えた場合等における過大音量出力、及び電源ＯＦＦから電源ＯＮに移行した場合の過大音量出力を防止する。【解決手段】ミュート制御回路１０は、ヘッドフォンの挿入を検出するスイッチ１４と、ボリューム位置を検出するスイッチ１２を備える。ヘッドフォンの挿入が検出されない場合に音声信号を出力しないミュート状態に移行し、ヘッドフォンの挿入が検出された場合であってボリューム位置が無音状態または無音状態近傍まで設定されたことを検出しない場合にミュート状態を維持し、無音状態または無音状態近傍まで設定されたことを検出した場合にミュート状態を解除する。【選択図】図１
2014027370.tif 000002
【特許請求の範囲】
【請求項１】
ヘッドフォンの挿入を検出する第１検出手段と、
ボリューム位置を検出する第２検出手段と、
電源ＯＮ状態であって、前記第１検出手段でヘッドフォンの挿入が検出されない場合に音声信号を出力しないミュート状態に移行し、前記第１検出手段でヘッドフォンの挿入が検出された場合であって前記第２検出手段でボリューム位置が無音状態または無音状態近傍まで設定されたことを検出しない場合にミュート状態を維持し、前記第１検出手段でヘッドフォンの挿入が検出された場合であって前記第２検出手段でボリューム位置が無音状態または無音状態近傍まで設定されたことを検出した場合にミュート状態を解除する制御手段と、
を備えることを特徴とするミュート機能を備えるオーディオ装置。
【請求項２】
入力ソースの切替を検出する第１検出手段と、
ボリューム位置を検出する第２検出手段と、
電源ＯＮ状態であって、前記第１検出手段で入力ソースの切替が検出された場合に音声信号を出力しないミュート状態に移行し、前記第１検出手段で入力ソースの切替が検出されない場合であって前記第２検出手段でボリューム位置が無音状態または無音状態近傍まで設定されたことを検出しない場合にミュート状態を維持し、前記第１検出手段で入力ソースの切替が検出されない場合であって前記第２検出手段でボリューム位置が無音状態または無音状態近傍まで設定されたことを検出した場合にミュート状態を解除する制御手段と、
を備えることを特徴とするミュート機能を備えるオーディオ装置。
【請求項３】
ヘッドフォンの挿抜を検出する第１検出手段と、
ボリューム位置を検出する第２検出手段と、
電源ＯＮ状態であって、前記第１検出手段でヘッドフォンの挿抜が検出されない場合に音声信号を出力しないミュート状態に移行し、前記第１検出手段でヘッドフォンの挿抜が検出された場合であって前記第２検出手段でボリューム位置が無音状態または無音状態近傍まで設定されたことを検出しない場合にミュート状態を維持し、前記第１検出手段でヘッドフォンの挿抜が検出された場合であって前記第２検出手段でボリューム位置が無音状態または無音状態近傍まで設定されたことを検出した場合にミュート状態を解除する制御手段と、
を備えることを特徴とするミュート機能を備えるオーディオ装置。
【発明の詳細な説明】
【技術分野】
【０００１】
本発明は、オーディオ装置に関し、特にミュート機能に関する。
【背景技術】
【０００２】
従来から、ヘッドフォン出力を備えるオーディオ装置では、電源ＯＮ／ＯＦＦ時にクリックノイズを出力しないようにミュート機能を動作させるように設計されている。また、ヘッドフォンプラグをジャックに挿入した時に過大音量が出力されないように制限する機能も提案されている。
【０００３】
下記の特許文献１には、ヘッドフォンプラグの抜き出しに応じて音声出力を自動的にミュートあるいは低レベル状態に設定することが記載されており、ヘッドフォンプラグ抜き出し時に自動的に音量をゼロに設定し、ヘッドフォンの挿入時には音量ゼロから手動操作で音量調整を行わせることが記載されている。
【０００４】
特許文献２には、ヘッドフォンプラグの抜き出しに応じて音声レベルを自動的にミュートし、その後、自動的に通常の音声レベルに復帰させることが記載されており、音声レベルのミュート後、ユーザによるボリューム設定がなされるまでミュート状態を維持することが記載されている。
【先行技術文献】
【特許文献】
【０００５】
【特許文献１】特開平１１−１３６７８９号公報
【特許文献２】特開２００２−０１０３８９号公報
【発明の概要】
【発明が解決しようとする課題】
【０００６】
ところで、ヘッドフォンはそのインピーダンスや効率により、同じ出力であっても大きなレベル差が生じる可能性があり、ボリュームを上げたままヘッドフォンを差し替えると、過大音量が出力されるおそれがある。特許文献１では、ヘッドフォン抜き出し時に電子ボリュームの音量を自動的にゼロに設定する（電気的に信号出力レベルをゼロに設定する）ことで過大音量を防止することが可能であるが、アナログボリュームの場合に問題となり得る。また、電源ＯＮ／ＯＦＦ時のミュート制御については特に記載されておらず、ヘッドフォンを挿入したまま電源をＯＦＦからＯＮにすると、ボリュームの設定状況によっては過大音量が出力される可能性がある。
【０００７】
一方、特許文献２では、ボリューム設定がなされるまでミュート状態が維持されることから、ボリューム設定が完了するまで音声出力を確認できない問題がある。また、ボリューム設定を間違えると、ミュートが解除された時に過大音量が出力される問題がある。
【０００８】
以上のような問題は、ヘッドフォンを差し替えた場合のみならず、入力ソースを切り替えた場合にも生じ得る。
【０００９】
本発明の目的は、ヘッドフォンを差し替えた場合や入力ソースを切り替えた場合における過大音量出力を防止するとともに、電源ＯＦＦから電源ＯＮに移行した場合の過大音量出力も防止できるオーディオ装置を提供することにある。
【課題を解決するための手段】
【００１０】
本発明のミュート機能を備えるオーディオ装置は、ヘッドフォンの挿入を検出する第１検出手段と、ボリューム位置を検出する第２検出手段と、電源ＯＮ状態であって、前記第１検出手段でヘッドフォンの挿入が検出されない場合に音声信号を出力しないミュート状態に移行し、前記第１検出手段でヘッドフォンの挿入が検出された場合であって前記第２検出手段でボリューム位置が無音状態または無音状態近傍まで設定されたことを検出しない場合にミュート状態を維持し、前記第１検出手段でヘッドフォンの挿入が検出された場合であって前記第２検出手段でボリューム位置が無音状態または無音状態近傍まで設定されたことを検出した場合にミュート状態を解除する制御手段を備えることを特徴とする。
【００１１】
また、本発明は、入力ソースの切替を検出する第１検出手段と、ボリューム位置を検出する第２検出手段と、電源ＯＮ状態であって、前記第１検出手段で入力ソースの切替が検出された場合に音声信号を出力しないミュート状態に移行し、前記第１検出手段で入力ソースの切替が検出されない場合であって前記第２検出手段でボリューム位置が無音状態または無音状態近傍まで設定されたことを検出しない場合にミュート状態を維持し、前記第１検出手段で入力ソースの切替が検出されない場合であって前記第２検出手段でボリューム位置が無音状態または無音状態近傍まで設定されたことを検出した場合にミュート状態を解除する制御手段を備えることを特徴とする。
【００１２】
また、本発明は、ヘッドフォンの挿抜を検出する第１検出手段と、ボリューム位置を検出する第２検出手段と、電源ＯＮ状態であって、前記第１検出手段でヘッドフォンの挿抜が検出されない場合に音声信号を出力しないミュート状態に移行し、前記第１検出手段でヘッドフォンの挿抜が検出された場合であって前記第２検出手段でボリューム位置が無音状態または無音状態近傍まで設定されたことを検出しない場合にミュート状態を維持し、前記第１検出手段でヘッドフォンの挿抜が検出された場合であって前記第２検出手段でボリューム位置が無音状態または無音状態近傍まで設定されたことを検出した場合にミュート状態を解除する制御手段とを備えることを特徴とする。
【発明の効果】
【００１３】
本発明によれば、ヘッドフォンを差し替えた場合や入力ソースを切り替えた場合、ヘッドフォンの挿抜の場合に一旦ミュート状態に移行し、ボリューム位置が無音状態又は無音状態近傍まで設定されない限りミュート状態が維持され、ボリューム位置が無音状態又は無音状態近傍まで設定されてミュート状態が解除されて音声出力が可能となるので、意図しない過大音声出力を確実に防止することができる。
【図面の簡単な説明】
【００１４】
【図１】実施形態の回路構成図である。
【図２】実施形態において、ヘッドフォンを挿入した場合でボリュームが−∞位置以外の場合の状態説明図である。
【図３】実施形態において、ヘッドフォンを挿入した場合でボリュームが−∞位置の場合の状態説明図である。
【図４】実施形態において、ヘッドフォンを抜き出した場合の状態説明図である。
【図５】他の実施形態の回路構成図である。
【図６】さらに他の実施形態の回路構成図である。
【発明を実施するための形態】
【００１５】
以下、図面に基づき本発明の実施形態について説明する。
【００１６】
図１に、本実施形態におけるオーディオ装置の回路構成を示す。
【００１７】
オーディオ装置は、ミュート（ＭＵＴＥ）制御回路１０を備え、このミュート制御回路１０でミュートのＯＮ／ＯＦＦを制御する。
【００１８】
ミュート制御回路１０は、アナログボリューム１３のボリューム位置を検出するボリューム位置検出スイッチ１２と、ヘッドフォンジャックにヘッドフォンのプラグが挿入されたことを検出するヘッドフォン検出スイッチ１４と、ＯＲゲート１６と、ＡＮＤゲート２０と、電源回路１８を備える。ミュート制御回路１０の出力、すなわちＡＮＤゲート２０の出力は、ミュートスイッチ２４に供給されてミュートのＯＮ／ＯＦＦを制御する。
【００１９】
ミュートスイッチ２４は、音声信号を増幅するアンプ２２の出力をヘッドフォン２６に出力するか（ミュートＯＦＦ：ミュートの解除状態）、あるいはアンプ２２の出力を遮断するか（ミュートＯＮ）を切り替えるスイッチである。ミュートスイッチ２４がＯＮのときにミュート解除状態となって音声信号がヘッドフォン２６に出力され、ミュートスイッチ２４がＯＦＦのときにミュート状態となって音声信号はヘッドフォン２６に出力されない。
【００２０】
ボリューム位置検出スイッチ１２は、アナログボリューム１３の位置を検出するスイッチであり、具体的にはアナログボリューム１３の位置が−∞（無音状態）位置にあることを検出する。アナログボリューム１３の位置が−∞位置のときに、検出スイッチがＯＦＦとなり、インバータで反転されてＨｉ信号を出力する。アナログボリューム１３の位置が−∞位置以外のときに、検出スイッチがＯＮとなり、インバータで反転されてＬｏｗ信号を出力する。ボリューム位置検出スイッチ１２からの検出信号は、ＯＲゲート１６に供給される。
【００２１】
ヘッドフォン検出スイッチ１４は、ジャックにヘッドフォンプラグが挿入されたことを検出するスイッチであり、ヘッドフォンプラグが挿入されたときにＨｉ信号を出力し、それ以外のときにＬｏｗ信号を出力する。ヘッドフォン検出スイッチ１４からの検出信号は、ＡＮＤゲート２０に供給される。
【００２２】
ＯＲゲート１６の一方の端子には、ボリューム位置検出スイッチ１２からの検出信号が供給され、他方の端子にはＡＮＤゲート２０からの出力信号が供給される。ＯＲゲート１６は、２つの入力信号の論理和を演算してＡＮＤゲート２０に出力する。
【００２３】
電源回路１８は、ＡＣプラグと、整流回路と、電源電圧検出回路と、遅延回路と、電源断検出回路と、インバータとを備える。
【００２４】
電源電圧検出回路及び遅延回路は、電源がＯＮされたことを検出し、回路が安定するまでの一定の時間を遅延時間として確保してＨｉ信号を出力する。また、電源断検出回路及びインバータは、電源がＯＦＦされたことを検出してＬｏｗ信号を出力する。言い換えれば、電源がＯＦＦされていないことを検出してＨｉ信号を出力する。電源回路１８からの２つの信号（電源がＯＮされたことを検出する信号、及び電源がＯＦＦされていないことを検出する信号）は、ＡＮＤゲート２０に供給される。
【００２５】
ＡＮＤゲート２０は、ＯＲゲート１６からの出力と、ヘッドフォン検出スイッチ１４からの出力と、電源回路１８からの２つの出力の４つの出力の論理積を演算し、演算結果をミュートスイッチ２４に供給してミュートのＯＮ／ＯＦＦを制御する。ＡＮＤゲート２０は、ＯＲゲート１６からの出力と、ヘッドフォン検出スイッチ１４からの出力と、電源回路１８からの出力の全てがＨｉの場合に出力がＨｉとなり、この場合にミュートスイッチ２４がＯＮとなってミュートが解除される。一方、ＡＮＤゲート２０は、ＯＲゲート１６からの出力と、ヘッドフォン検出スイッチ１４からの出力と、電源回路１８からの出力のいずれかがＬｏｗの場合に出力がＬｏｗとなり、この場合にミュートスイッチ２４がＯＦＦとなってミュート状態となる。
【００２６】
また、ＡＮＤゲート２０の出力は、既述したように、ＯＲゲート１６の一方の端子にも供給される。従って、ＡＮＤゲート２０の出力がＨｉとなれば、ボリューム位置検出スイッチ１２からの検出信号がＬｏｗであったとしても、ＯＲゲート１６からはＨｉ信号が出力される。この状態は、ＡＮＤゲート２０の出力がＬｏｗとなるまで保持される。
【００２７】
このような構成において、次に、本実施形態におけるミュート制御回路１０の動作について具体的に説明する。
【００２８】
（１）電源ＯＦＦ状態
電源ＯＦＦ状態では、電源回路１８からの信号はＬｏｗ信号であるためＡＮＤゲート２０の出力はＬｏｗであり、ミュートスイッチ２４はＯＦＦとなってミュート状態が維持される（電源ＯＦＦ状態は通電されていない状態であるため、全ての出力状態がＬｏｗであるといえる）。
【００２９】
（２）電源ＯＮ状態でヘッドフォンプラグがジャックに挿入されていない状態
電源がＯＮされると、電源回路１８から一定の遅延時間後にＨｉ信号が出力される。但し、ヘッドフォン検出スイッチ１４からはヘッドフォンプラグがジャックに挿入されていないためＬｏｗ信号が出力されるためＡＮＤゲート２０の出力はＬｏｗであり、ミュートスイッチ２４はＯＦＦとなってミュート状態が維持される。
【００３０】
（３）電源ＯＮ状態でヘッドフォンプラグがジャックに挿入された状態
電源がＯＮされ、ヘッドフォンプラグがジャックに挿入されると、ヘッドフォン検出スイッチ１４からＨｉ信号が出力される（ＬｏｗからＨｉに切り替わる）。従って、ミュートのＯＮ／ＯＦＦは、ボリューム位置検出スイッチ１２からの信号により決定される。
【００３１】
すなわち、アナログボリューム１３が−∞位置以外の場合、例えばアナログボリューム位置が一定のレベル位置（−∞位置以外の任意のレベル位置）にある場合には、ボリューム位置検出スイッチ１２からＬｏｗ信号が出力されるため、ＡＮＤゲート２０の出力はＬｏｗであり、たとえヘッドフォンプラグがジャックに挿入されていてもミュートスイッチ２４はＯＦＦとなってミュート状態が維持される。
【００３２】
一方、アナログボリューム１３が−∞位置の場合、ボリューム位置検出スイッチ１２からＨｉ信号が出力されるため、ＡＮＤゲート２０の出力はＨｉとなり、ミュートスイッチ２４はＯＮとなってミュートが解除される。但し、ミュートが解除されても、この状態はアナログボリューム１３が−∞位置にあるため、直ちに音声信号が出力されることはない。この状態からユーザがアナログボリューム１３を操作して一定のレベルまで上げると、ボリューム位置検出スイッチ１２からＬｏｗ信号が出力されるが、ＯＲゲート１６の他方端子にはＡＮＤゲート２０の出力のＨｉ信号が供給されるため、ＯＲゲート１６の出力はＨｉのまま保持され、ＡＮＤゲート２０の出力もＨｉのまま維持される。従って、ミュートスイッチ２４もＯＮのままで、ミュートが解除された状態が維持され、アナログボリューム１３で設定されたレベルの音声信号がヘッドフォン２６から出力される。
【００３３】
図２及び図３に、電源ＯＮ状態でヘッドフォンプラグがジャックに挿入された場合の、ＡＮＤゲート２０の入出力状態とミュートスイッチ２４の状態を示す。
【００３４】
図２は、アナログボリューム１３の位置が−∞以外の位置の場合の状態である。ＡＮＤゲート２０の入力のうち、ボリューム位置検出スイッチ１２からの信号がＬｏｗ信号（図ではＬで示す）であるため、ＡＮＤゲート２０の出力はＬｏｗとなり、ミュートスイッチ２４はＯＦＦとなってミュート状態となる。従って、アナログボリューム１３が一定のレベルに設定されていても、音声信号は出力されない。
【００３５】
図３は、ユーザがアナログボリューム１３を−∞位置まで回した場合の状態である。ＡＮＤゲート２０の入力のうち、ボリューム位置検出スイッチ１２からの信号もＨｉ信号（図ではＨで示す）となるため、ＡＮＤゲート２０の出力はＨｉとなり、ミュートスイッチ２４はＯＮとなってミュート解除となる。従って、この状態からユーザがアナログボリューム１３を回して一定のレベルに設定すると、そのレベルで増幅された音声信号が出力される。
【００３６】
（４）電源ＯＮ状態でヘッドフォンを差し替えるためにヘッドフォンプラグをジャックから抜き出し、その後に再挿入した状態
ヘッドフォンプラグをジャックから抜き出すと、ヘッドフォン検出スイッチ１４からＬｏｗ信号が出力されるため、ＡＮＤゲート２０の出力はＬｏｗとなり、ミュートスイッチ２４はＯＦＦとなってミュート状態に移行する。
【００３７】
図４に、この場合のＡＮＤゲート２０の入出力状態とミュートスイッチ２４の状態を示す。ＡＮＤゲート２０の入力のうち、ヘッドフォン検出スイッチ１４からの信号がＬｏｗ信号（図ではＬで示す）であるため、ＡＮＤゲート２０の出力はＬｏｗとなり、ミュートスイッチ２４はＯＦＦとなってミュート状態となる。従って、アナログボリューム１３が一定のレベルに設定されていても、音声信号は出力されない。
【００３８】
ヘッドフォンプラグをジャックに再挿入すると、ヘッドフォン検出スイッチ１４からＨｉ信号が出力される。従って、ミュートのＯＮ／ＯＦＦは、（２）の場合と同様に、ボリューム位置検出スイッチ１２からの信号により決定される。
【００３９】
すなわち、アナログボリューム１３が−∞位置以外の場合、ボリューム位置検出スイッチ１２からＬｏｗ信号が出力されるため、ＡＮＤゲート２０の出力はＬｏｗであり、たとえヘッドフォンプラグがジャックに挿入されていてもミュートスイッチ２４はＯＦＦとなってミュート状態が維持される（図２参照）。従って、差し替え前のヘッドフォン２６と差し替え後のヘッドフォン２６のインピーダンスが異なっていても、過大音量が出力されることを有効に防止できる。
【００４０】
一方、アナログボリューム１３が−∞位置の場合、ボリューム位置検出スイッチ１２からＨｉ信号が出力されるため、ＡＮＤゲート２０の出力はＨｉとなり、ミュートスイッチ２４はＯＮとなってミュートが解除される。ユーザがアナログボリューム１３を操作して一定のレベルまで上げると、アナログボリューム１３で設定されたレベルの音声信号がヘッドフォン２６から出力される（図３参照）。
【００４１】
このように、本実施形態では、オーディオ装置の電源がＯＮ状態とされた後は、一定の時間（遅延回路での遅延時間）が経過するまでミュート状態を維持し、その後に、ミュート解除が可能な状態となるが、へッドフォン２６がジャックに挿入され、かつ、アナログボリューム１３が−∞位置に設定されない限り、ミュートが維持され続けるため、電源ＯＮした後にアナログボリューム１３が一定のレベルに設定されていることによる予期しない過大音量が出力される事態を防止できる。
【００４２】
また、ヘッドフォン２６をインピーダンスの異なる別のヘッドフォン２６に差し替えたとしても、ヘッドフォン２６を抜き出した時点で自動的にミュート状態となり、別のヘッドフォン２６を挿入してもアナログボリューム１３が−∞位置に設定されない限りミュート状態が維持されるため、インピーダンスの相違により過大音量が出力される事態を防止できる。
【００４３】
なお、オーディオ装置に習熟したユーザは、ヘッドフォン２６を差し替える際には、一旦、アナログボリューム１３を−∞位置まで回して無音状態とした後に、ヘッドフォン２０を抜き出して別のヘッドフォン２６を挿入し、しかる後にアナログボリューム１３を−∞位置から所望の位置まで回して所望のレベルに設定するのが一般的であるが、本実施形態のミュート制御回路１０は、このような操作と整合性があるといえる。すなわち、このようなユーザにとっては、ヘッドフォン２６の差し替え時にはアナログボリューム１３を−∞位置から所望の位置まで回して所望のレベルに設定するから、このタイミングでミュート状態が解除され、ユーザは何らの違和感を覚えることなく別のヘッドフォン２６での音質等を楽しむことができる。
【００４４】
もちろん、オーディオ装置に習熟していないユーザにとっても、ヘッドフォン２６の差し替え時にアナログボリューム１３が一定のレベルのままであったとしてもミュート状態が維持されるため、過大音量が確実に防止される。
【００４５】
本実施形態は、不特定多数のユーザが、種々のヘッドフォンを装着して視聴し得る環境において特に有効であろう。
【００４６】
本実施形態において、ＡＮＤゲート２０の出力をＬＥＤに供給することで、ミュートのＯＮ／ＯＦＦをＬＥＤで視認可能に表示することもできる。例えば、ＡＮＤゲート２０の出力がＬｏｗのときにミュートのＬＥＤを点灯させてミュート状態にあることをユーザに知らせる等である。アナログボリューム１３を一定のレベルに設定したままユーザがヘッドフォン２６を別のヘッドフォン２６に差し替えると、ミュートのＬＥＤが点灯し、ユーザにミュート状態に移行したことを報知する。ユーザが、アナログボリューム１３を−∞位置まで回すとミュートのＬＥＤが消灯し、ユーザに音声出力可能であることを報知する。
【００４７】
以上、本発明の実施形態について説明したが、本発明はこれに限定されるものではなく、種々の変更が可能である。
【００４８】
例えば、本実施形態では、アナログボリューム１３の位置が−∞位置に設定された場合にミュート状態を解除しているが、必ずしも厳密に−∞位置ではなく、−∞近傍に設定された場合にミュート状態を解除してもよい。あるいは、アナログボリューム１３が、少なくとも−∞位置またはその近傍に向けて有意に操作されたことを検出してミュート状態を解除してもよい。要するに、たとえヘッドフォン２６のインピーダンスや効率が異なっていたとしても、過大音量とはならない程度のレベルまでアナログボリュームのレベルが小さく設定されたことをトリガとしてミュート状態を解除すればよい。
【００４９】
また、本実施形態では、特にヘッドフォン２６の差し替え時のミュートについて説明したが、入力ソースの切替、例えば入力ソースをＣＤからＰＣに切り替える場合にも同様に適用することができる。この場合、ヘッドフォン検出スイッチ１４に代えて、入力ソースの切替検出スイッチを用いることができる。
【００５０】
図５に、この場合の構成を示す。入力ソースの切替検出スイッチ１５は、入力ソースの切替に連動し、切替が生じたタイミングでＬｏｗ信号をＡＮＤゲート２０に出力し、それ以外はＨｉ信号をＡＮＤゲート２０に出力する。入力ソースの切替が生じた場合に、入力ソース切替検出スイッチ１５からの信号が一時的にＬｏｗ信号となるためＡＮＤゲート２０の出力はＬｏｗとなり、ミュートスイッチ２４をＯＦＦにして一旦ミュート状態に移行する。その後は（入力ソースが新たなソースに切り替わった後であって切替が検出されない場合に）、アナログボリューム１３が−∞位置またはその近傍に設定されない限り、ボリューム位置検出スイッチ１２からの信号はＬｏｗ信号のままであるためミュート状態が維持される。これにより、たとえアナログボリューム１３の位置が一定のレベル（−∞位置またはその近傍位置以外の任意のレベル）のまま入力ソースを切り替えても、過大音量を防止できる。なお、ヘッドフォンの差し替えと入力ソースの切替によるミュートを使用してもよいことは言うまでもない。
【００５１】
また、本実施形態では、ヘッドフォンアンプを想定して説明したが、スピーカ出力が可能なアンプにも適用可能である。スピーカ出力が可能なアンプの場合、図１の回路ではヘッドフォンプラグがジャックから抜き出されている場合、ヘッドフォン検出スイッチ１４がＬｏｗ信号を出力した状態のままになるため、アナログボリューム１３を−∞位置またはその近傍に設定してもミュートが解除されず、スピーカから音声が出力されない。よって、図６に示すように、例えば、ヘッドフォン出力検出信号をＥＸＯＲゲート（排他的論理和回路）の一方の入力端子に供給し、遅延回路を介してスピーカ出力検出信号をＥＸＯＲゲートの他方の入力端子に接続する。ＥＸＯＲゲートの出力信号は、ＡＮＤゲート２０の入力端子に接続する。ヘッドフォンプラグがジャックに挿入されている場合、ヘッドフォン出力検出信号はＨｉであり、スピーカ出力検出信号はＬｏｗであるため、ＥＸＯＲゲートの出力はＨｉとなる。この状態でヘッドフォンプラグがジャックから抜き出されると、ヘッドフォン出力検出信号はＬｏｗになり、スピーカ出力検出信号はＨｉとなるが、遅延回路によってスピーカ出力検出信号であるＨｉ信号の入力が遅れるため、遅延回路による遅延時間の間、ＥＸＯＲゲートの入力はともにＬｏｗとなる。そのため、ＥＸＯＲゲートの出力は一時的にＬｏｗとなり、ＡＮＤゲート２０の出力をＬｏｗとすることができる。遅延時間が経過すると、ＥＸＯＲゲートに入力されるスピーカ出力検出信号がＨｉとなり、ＥＸＯＲゲートの出力がＨｉとなるため、ボリューム位置検出スイッチ１２からの信号によりミュートのＯＮ／ＯＦＦを制御することが可能になる。ヘッドフォンプラグをジャックに挿入した場合も同じである。すなわち、ヘッドフォンプラグがジャックから抜き出されている場合、ヘッドフォン出力検出信号はＬｏｗであり、スピーカ出力検出信号はＨｉであるため、ＥＸＯＲゲートの出力はＨｉとなる。この状態でヘッドフォンプラグがジャックに挿入されると、ヘッドフォン出力検出信号はＨｉとなり、スピーカ出力検出信号はＬｏｗとなるが、遅延回路によってスピーカ出力検出信号であるＬｏｗ信号の入力が遅れるため、遅延回路による遅延時間の間、ＥＸＯＲゲートの入力はともにＨｉとなる。そのため、遅延時間の間は、ＥＸＯＲゲートの出力は一時的にＬｏｗとなり、ＡＮＤゲート２０の出力をＬｏｗとすることができる。遅延時間が経過すると、ＥＸＯＲゲートに入力されるスピーカ出力検出信号がＬｏｗとなり、ＥＸＯＲゲートの出力がＨｉとなるため、ボリューム位置検出スイッチ１２からの信号によりミュートのＯＮ／ＯＦＦを制御することが可能になる。
【００５２】
なお、遅延回路はスピーカ出力検出しん号の供給ライン側ではなくヘッドフォン出力検出信号の供給ライン側に設けてもよい。
【００５３】
また、スピーカ出力検出信号及び／又はヘッドフォン出力検出信号の変化を検出し、モノマルチバイブレータ等によってＡＮＤゲート２０の入力端子にＬｏｗレベルのワンショットパルス信号を供給するようにしてもよい。
【００５４】
また、本実施形態では、図１あるいは図５に示す回路構成でミュート制御を実現しているが、各種スイッチの検出及びミュート制御をマイコンで実現することも可能である。
【符号の説明】
【００５５】
１０  ミュート（ＭＵＴＥ）制御回路、１２  ボリューム位置検出スイッチ、１４  ヘッドフォン検出スイッチ、１５  入力ソース切替検出スイッチ、１６  ＯＲゲート、１８  電源回路、２０  ＡＮＤゲート、２２  アンプ、２４  ミュートスイッチ、２６  ヘッドフォン。
【図１】
2014027370.tif 000003
【図２】
2014027370.tif 000004
【図３】
2014027370.tif 000005
【図４】
2014027370.tif 000006
【図５】
2014027370.tif 000007
【図６】
2014027370.tif 000008
【手続補正書】
【提出日】平成24年7月30日(2012.7.30)
【手続補正１】
【補正対象書類名】図面
【補正対象項目名】図６
【補正方法】変更
【補正の内容】
【図６】
2014027370.tif 000009